(57)【要約】【課題】使用時には厚みが薄く、犬の尻の下に挿入して糞を直接受け止め易く、携帯時には持ち易くまた外観的にもスマートな形の安価なペット用携帯トイレを提供する。【解決手段】便器部（１ａ）の下端と、袋に収容された排泄物を入れておく糞収納部（１ｂ）の下端とを、二枚貝状に開閉可能に連結し、糞収納部（１ｂ）に伸縮可能な把持部（２）を備え、持ち運び時には縮めて小さく、排便時には伸ばせば立ったままでも便器部（１ａ）をペットの尻の下に挿入し糞を受け止められる。【選択図】    図１
0003110601.tif 000002
【実用新案登録請求の範囲】
【請求項１】
本体（１）は、便器部（１ａ）の下端と、袋に収容された排泄物を入れておく糞収納部（１ｂ）の下端とを、二枚貝状に開閉可能に連結し、糞収納部（１ｂ）に伸縮可能な把持部（２）を備え、持ち運び時には縮めて小さく、さらに手の形に合った波型把手部（１１）を把手固定部（９）に引っ掛けることにより持ちやすくし、排便時には伸ばせば立ったままでも便器部（１ａ）をペットの尻の下に挿入し糞を受け止められる事を特徴とするペット用携帯便器。
【請求項２】
排便時にペットの糞を受け止めこれを収容する収納袋を支持するフレーム（４）とスペアの収納袋用フレーム（５）と、収納袋をはずしやすくするため便器部（１ａ）の内部壁面３方にフレーム支え部（６）を有するペット用携帯トイレであって、糞を収容した収納袋は、フレームからはずし口を結び、その排泄済み糞収納部（１ｂ）にいれ、使用済みフレーム用フック兼開閉用把持部（８）付きのふた（３）により便器部（１ａ）と区切ることができることを特徴とするペット用携帯トイレ。
【考案の詳細な説明】
【技術分野】
【０００１】  本発明は犬等のペットの糞を収容して持ち帰るためのペット用携帯便器に関するものである。
【背景技術】
【０００２】  犬などのペットは、散歩中に排便を行うことが少なくない。一般的に、犬の糞は飼い主が持ち帰って処理するという認識があり、飼い主は地面に糞をさせた後、スコップで掬いビニール袋等に入れて持ち帰る方法で行われているが、この方法にはかなり不快が伴う。一方、犬の排便は特有の仕草によってこれを予め予測できること、また地面に排泄された糞を再び拾い上げて袋に入れる煩わしさや、糞の状態（例えば軟便）によっては一旦排出された糞を完全に回収することが難しい場合があることから、排便時に事前に袋や器具を差し出してその中に糞を直接受け止めるタイプの器具が提案されている。例えば、下記特許文献に開示されたものがある。
【考案の開示】
【考案が解決しようとする課題】
【０００３】  しかしながら上記各ペット用携帯便器においては、携帯する時に邪魔になったり、外観的にスマートさに欠けたり、２回以上排泄させにくいといった問題もあった。【０００４】  この発明は上記従来の欠点を解決するために成されたものであり、その目的は、使用時には厚みが薄く、犬の尻の下に挿入して糞を直接受け止め易く、携帯時にはコンパクトで持ち易くまた外観的にもスマートな形となり、排泄後の糞を収納する場所を備え、何度でも気持ち良く排泄させることができるペット用携帯便器を提供する事にある。
【課題を解決するための手段】
【０００５】課題を解決するための手段として、本体（１）は、便器部（１ａ）の下端と、袋に収容された排泄物を入れておく糞収納部（１ｂ）の下端とを、二枚貝状に開閉可能に連結し、糞収納部（１ｂ）に伸縮可能な把持部（２）を備え、持ち運び時には縮めて小さく、さらに手の形に合った波型把手部（１１）を把手固定部（９）に引っ掛けることにより持ちやすくし、排便時には伸ばせば立ったままでも便器部（１ａ）をペットの尻の下に挿入し糞を受け止められる事を特徴としている。【０００６】  また、排便時にペットの糞を受け止めこれを収容する収納袋を支持するフレーム（４）とスペアの収納袋用フレーム（５）と、収納袋をはずしやすくするため便器部（１ａ）の内部壁面３方にフレーム支え部（６）を有するペット用携帯トイレであって、糞を収容した収納袋は、フレームからはずし口を結び、その排泄済み糞収納部（１ｂ）にいれ、使用済みフレーム用フック兼開閉用把持部（８）付きの内蓋（３）により便器部（１ａ）と区切ることができることを特徴としている。
【考案の効果】
【０００７】以上説明したように本発明によれば、使用時には厚みが薄く、犬の尻の下に挿入して糞を直接受け止め易く、携帯時には持ち易くまた外観的にもスマートな形の安価なペット用携帯トイレを提供できる。
【考案を実施するための最良の形態】
【０００８】  以下にこの発明のペット用携帯トイレの具体的な実施の形態について、図面を参照しつつ詳細に説明する。【０００９】  図２（左図）は上記ペット用携帯トイレの使用状態を示す側面図である。このペット用携帯トイレは、上下方向に伸びる把持部２の下端部に枢支軸１７を設け、この枢支軸１７に便器本体１を回動可能に枢支している。上記便器本体１は、それぞれの下端部が回動可能に連結された、便器部１ａ及び糞収納部１ｂにより構成されていて、これら二つの殻は使用状態では図１に示すように、両側に開き、便器部１ａが糞の受け皿となり、排泄後の糞は１ｂに収納し、携帯時には図２（右下図）に示すように、両側から閉じて留め具１３を１４の突起に掛け閉鎖された容器となる。【００１０】  また、上記把持部２は折りたたみの傘のように伸縮可能であり、使用時には図２（左図）のように長く固定し、立ったまま犬などのペットの尻の下に便器部を挿入することができ、携帯時には縮めて図２（右上図）のように、把手固定部９に波型把手部１１を掛けコンパクトに持ち運びができるようになっている。【００１１】  図１は上記ペット用携帯トイレの使用状態を示す斜視図である。上記便器部１ａには、使用時に便器が汚れるのを防ぐため、ビニール袋取り付け用のフレーム４・５を設けてある。フレーム４・６それぞれに、ビニール袋を開いてその口の部分を外側に折り返すようにかけ、フレーム支え部６の上に重ねておくように設置する。まず最初にフレーム５にかけた袋で糞を受け止める。受け止めた糞は袋ごと取り外し、口を縛った後、フレーム用フック兼開閉用把持部８をひっぱり内蓋３を開け、糞の入った袋を入れ、内蓋３を押し込んで閉め、袋をはずしたフレーム５はフレーム用フック兼開閉用把持部８に引っ掛けておく。再度ペットが排泄したがった時は、同様にフレーム４にかけた袋で糞を受ける。【００１２】  フレーム４・５は、便器部１ｂに取り付けられたフレーム受けリング７に通されているため簡単に上げ下げできる。フレームにセットする袋は、特に決まったものではなく市販のビニール袋でも構わない為経済的である。【００１３】  フレーム支え部６があることにより、袋の着脱を簡単に、また糞を受ける際に深さを得ることができる。この支え部は、必ずしも便器部１ａの内壁３方になければならない訳ではなく、２方でも１方でも、何箇所でもかまわない。【００１４】  上記ペット用携帯トイレによれば、使用時には便器部１ｂを、立ったままの楽な姿勢で移動でき、携帯時には図２（右図）に示すように、コンパクトで且つ外観的にもハンドバッグにも似たスマートな形となる。糞を収納する部分があるので、１回の散歩で何度糞をされても困らず、糞の始末についても、糞を直接受け取っているので、土や砂などが付着していないため家に持ち帰った後、トイレに流しても問題なく容易に処理できる。また、ペットの散歩時に携帯して地面に落ちる前に糞を確実に受け取り収容して持ち帰り、収容した糞はそのまま持ち歩いても臭わず、帰宅してからトイレに流して処理することが可能であるから、ペットによる糞公害を解消し、地域環境の保全および美化を図り、公衆衛生の保全に寄与することが出来る。
【図面の簡単な説明】
【００１５】
【図１】この発明のペット用携帯トイレの一実施形態の、使用状態を示す斜視図である。
【図２】前記第一の実施形態に係るペット用携帯トイレの使用状態を示す側面図（左図）、および、上記実施形態の携帯状態を示す正面図（右上図）・側面図（右下図）である。
【符号の説明】
【００１６】１ａ    便器部
１ｂ    糞収納部
２      把持部
３      内蓋
４・５  フレーム
６      フレーム支え部
８      フレーム用フック兼開閉用把持部
９      把手固定部
１１    波型把手部
１３    留め具
【図１】
0003110601.tif 000003
【図２】
0003110601.tif 000004